(57)【特許請求の範囲】
【請求項１】
ランプピン挿入孔が形成されたランプソケットの取付姿勢とこの取付姿勢からある角度傾いたランプ着脱姿勢との間で前記ランプソケットを回動自在に取付けるソケット取付台であって、前記ランプソケットの両側に相対向して前記ランプソケットを軸支する軸部を有する樹脂製の一対の取付板部と、この一対の取付板部間を橋渡しする橋渡し部材とを備え、前記取付板部は、弾性変形して前記ランプソケットに形成された係合部に係合して前記ランプソケットを取付姿勢に規制する乗り越え突起と、前記ランプ着脱姿勢を保つように前記ランプソケットの底部に当たる乗り越え可能なストッパとを有することを特徴とするソケット取付台。
【請求項２】
前記橋渡し部材は前記取付板部の背部側にある請求項１記載のソケット取付台。
【請求項３】
前記橋渡し部材は略板状である請求項２記載のソケット取付台。
【請求項４】
前記橋渡し部材はリブを有する請求項２記載のソケット取付台。
【請求項５】
前記橋渡し部材は樹脂製で前記取付板部と一体に成形されている請求項１、請求項２、請求項３または請求項４記載のソケット取付台。
【請求項６】
前記橋渡し部材はランプソケットの姿勢を規制するための突起を有する請求項１、請求項２、請求項３、請求項４または請求項５記載のソケット取付台。
【請求項７】
請求項１、請求項２、請求項３、請求項４、請求項５または請求項６記載のソケット取付台を有する照明器具。
【発明の詳細な説明】
【０００１】
【発明の属する技術分野】
この発明は、コンパクト型蛍光灯用器具等に適用される、ソケット取付台および照明器具に関するものである。
【０００２】
【従来の技術】
従来例（例えば特開平1-57506号)は、図８（ａ）に示すようにランプソケット１００の取付姿勢とこの取付姿勢からある角度傾いたランプ着脱姿勢（図の状態）との間で、ランプソケット１００をソケット取付台１０１に回動自在に取付けている。
【０００３】
図８（ａ）はランプの口金に設けた突起をランプソケットの取付姿勢で抜止めする係止片１０２を回動自在に設けているが、図８（ｂ）は突起１０２を一体に形成している。
【０００４】
また図８（ａ）、（ｂ）のソケット取付台１０１は金属製であったが、図８（ｃ）は端子ボックスを一体に設けた樹脂製である。
【０００５】
【発明が解決しようとする課題】
しかし、図８（ｃ）のソケット取付台１０１はソケット取付部と端子ボックスが一体のため他のソケットに流用できない。
【０００６】
また図８（ａ）および図８（ｂ）のソケット取付台１０１はプレス部品のため形状の制限が多く、また外観上の問題からさびや破断面のエッジのため塗装等の二次加工が必要であった。さらにソケット取付台１０１の底部を覆うと電線引出し口がランプソケットの底面のため電線引出しが困難になり、ソケット取付台１０１にランプソケットを取付ける時、ランプソケットの回動方向の位置決めおよび着脱感触が困難で、そのための部品点数が増加した。
【０００７】
したがって、この発明の目的は、形状成形が容易でランプソケットの回動操作時のクリック感触が容易に得られ、部品点数を削減できるソケット取付台および照明器具を提供することである。
【０００８】
【課題を解決するための手段】
請求項１記載のソケット取付台は、ランプピン挿入孔が形成されたランプソケットの取付姿勢とこの取付姿勢からある角度傾いたランプ着脱姿勢との間で前記ランプソケットを回動自在に取付けるソケット取付台であって、前記ランプソケットの両側に相対向して前記ランプソケットを軸支する軸部を有する樹脂製の一対の取付板部と、この一対の取付板部間を橋渡しする橋渡し部材とを備え、前記取付板部は、弾性変形して前記ランプソケットに形成された係合部に係合して前記ランプソケットを取付姿勢に規制する乗り越え突起と、前記ランプ着脱姿勢を保つように前記ランプソケットの底部に当たる乗り越え可能なストッパとを有する。
【０００９】
請求項１記載のソケット取付台によれば、取付板部を樹脂部品とするため軽量化できるとともに、エッジによるけがの心配がなく塗装などの２次加工が不要である。取付板部の形状成形が容易となるため、クリック部を設けやすくランプを挿入後のランプソケットの回動操作時のクリック感触を容易に得ることができ、そのための部品が取付部品の１部品で構成でき、またランプ保持構造がソケット取付台に付加構成できるため、部品点数を削減できる。また成形時の寸法精度が安定し変形しにくく、形状により材料削減できるとともに電線の引出しも容易にできる。また、ソケット側突起と乗り越え突起によりランプソケットをソケット取付台の背部側に規制し、またランプ取付状態でランプが下方に傾かず、振動等による落下防止ができる。
【００１６】
請求項２記載のソケット取付台は、請求項１において、前記橋渡し部材が前記取付板部の背部側にあるものである。
【００１７】
請求項２記載のソケット取付台によれば、請求項１と同様な効果のほか、樹脂成形時にコの字形状が内側に倒れ易い性質のためソケット保持がしやすくランプソケットを外れにくくしやすい。
請求項３記載のソケット取付台は、請求項２において、前記橋渡し部材が略板状であるものである。
請求項３記載のソケット取付台によれば、請求項２と同様な効果がある。
【００１８】
請求項４記載のソケット取付台は、請求項２において、前記橋渡し部材がリブを有するものである。
【００１９】
請求項４記載のソケット取付台によれば、請求項２と同様な効果のほか、リブにより橋渡し部材の補強ができる。
【００２２】
請求項５記載のソケット取付台は、請求項１、請求項２、請求項３または請求項４において、前記橋渡し部材が樹脂製で前記取付板部と一体に成形されているものである。
【００２３】
請求項５記載のソケット取付台によれば、請求項１、請求項２、請求項３または請求項４と同様な効果のほか、橋渡し部材の形状の成形が容易にできる。
【００２６】
請求項６記載のソケット取付台は、請求項１、請求項２、請求項３、請求項４または請求項５において、前記橋渡し部材はランプソケットの姿勢を規制するための突起を有するものである。
【００２７】
請求項６記載のソケット取付台によれば、請求項１、請求項２、請求項３、請求項４または請求項５と同様な効果のほか、ランプソケットの姿勢を突起により規制でき、ソケット側突起と乗り越え突起によりランプソケットをソケット取付台の背部側に規制することで、ランプソケットを背部側に押す力を働かせて、ランプソケットのがたつきを防止することができる。また橋渡し部材の突起は簡単な形状のため突き出しピン等の代用が可能であり、金型作成、成形性が容易になる。
【００２８】
請求項７記載の照明器具は、請求項１、請求項２、請求項３、請求項４、請求項５または請求項６記載のソケット取付台を有するものである。
【００２９】
請求項７記載の照明器具によれば、請求項１、請求項２、請求項３、請求項４、請求項５または請求項６と同様な効果がある。
【００３０】
【発明の実施の形態】
この発明の第１の実施の形態を図１から図３により説明する。すなわち、この照明器具のソケット取付台は、ランプソケット１の取付姿勢と、その取付姿勢からある角度傾いたランプ着脱姿勢との間で、ランプソケット１を回動自在に取付けるものである。
【００３１】
このソケット取付台２は、一対の取付板部４と、橋渡し部材５を有する。一対の取付板部４は樹脂製であり、ランプソケット１の両側に相対向して、ランプソケット１を軸支する軸部３を有する。また取付板部４はランプソケット１を取付姿勢に規制する乗り越え突起１０を有する。軸部３はランプソケット１の底面側すなわち取付板部４の後端部４ｂ寄りに設けられる。乗り越え突起１０は軸部３と反対側のランプソケットの前面側すなわち取付板部４の先端部４ｃ寄りに位置する。
【００３２】
板状の橋渡し部材５ｃを取付板部４の背部４ｄ側のみに形成し、その内面に複数のリブ６および取付部７を設けている。また、軸受け部１５は軸部３に嵌合する円形の凹部または孔とし、乗り越え突起１０は取付板部４の樹脂弾性による拡開作用でランプソケット１の係合部１８を乗り越えさせている。このとき、橋渡し部材５ｃに連結された取付板部４は樹脂成形時のコの字形状が図（ｂ）の想像線で示すように、相接近する方向に倒れやすい性質のためソケット保持が外れにくい。また、軸部３の近傍にランプソケット１の底部が当たる乗り越え可能なストッパ３５を設けている。なお、リブ６は橋渡し部材５ｃの任意の位置に設けられる。３６はランプソケット１の速結端子に接続する電線を挿入するための電線挿入孔、３７は電線解除治具を挿入するための電線解除孔である。
【００３４】
ランプソケット１は、一対の取付板部４間に入る寸法を有するもので、前面の中央にランプピンを挿入させる複数のランプピン挿入孔１６を形成し、前面のコーナ部にランプ口金を支持する支持柱部１７を設け、内部のランプピン挿入孔１６に対応してランプピンが接触する端子付き例えば速結端子付きの導電部材（図示せず）を収納し、導電部材に接続される電線（図示せず）を底面より引出している。また軸部３に対応して底面側の側面に軸受け部１５を形成し、この軸受け部１５はランプソケット１がランプ挿脱方向にランプソケット１を移動できるように長孔状に形成している。ソケット取付台２の乗り越え突起１０に係合する突起状の係合部１８をランプソケット１の前面側の支持柱部１７の側面に形成している。
【００３６】
図１（ａ）は例えばコンパクト型蛍光灯ランプ２１を装着したランプソケット１の取付姿勢を示し、このとき係合部１８は乗り越え突起１０を橋渡し部材５ｃ側に乗り越え、係合部１８と乗り越え突起１０の当接部分の傾斜面によりランプソケット１の側面が器具本体取付部７の表面に当接している。またランプ２１のランプ口金２２の側面に設けた突起２３が取付板部４の切欠凹部１２に係止して抜止めされている。２０はランプ軸である。
【００３７】
図１（ｂ）はランプ着脱姿勢を示す。図１（ａ）のランプ軸２０から軸部３を中心に下方に約ａ°回動して傾斜状態にしている。この操作は、まずランプ２１を係合部１８が乗り越え突起１０を乗り越えさせるもので、これによりランプソケット１をランプ着脱姿勢に回動することができる。また角度ａ°の位置では突起２３が切欠凹部１２から離れるのでランプ２１をランプソケット１から引き抜くことができる。ランプ２１をランプソケット１に装着し、図（ａ）の状態にするのは前記と逆の手順で行なう。そして、取付姿勢とランプ着脱姿勢との間で係合部１８が乗り越え突起１０にばね作用で係脱する際にクリック感が得られる。
【００３８】
図２は天井埋込型の器具本体２４の内側面にソケット取付台２の取付部１３を取付けた状態である。
【００３９】
この実施の形態によれば、取付板部４を樹脂部品とするため軽量化できるとともに、エッジによるけがの心配がなく塗装などの２次加工が不要である。取付板部４の形状成形が容易となるため、クリック部を設けやすくランプ２１を挿入後のランプソケット１の回動操作時のクリック感触を容易に得ることができ、そのための部品が取付部品の１部品で構成でき、またランプ保持構造がソケット取付台２に付加構成できるため、部品点数を削減できる。また成形時の寸法精度が安定し変形しにくく、形状により材料削減できるとともに電線の引出しも容易にできる。
【００４１】
取付板部４の背部４ｄ側に設けると、ランプソケット１の取付板部４の背部４ｄ側への倒れ防止となる。
【００４２】
橋渡し部材５ｃが取付板部４の背部４ｄ側にあるため、樹脂成形時にコの字形状が内側に倒れ易い性質のためソケット保持がしやすくランプソケット１を外れにくくしやすい。
【００４３】
橋渡し部材５ｃがリブ６を有するため、リブ６により橋渡し部材５ｃの補強ができる。
【００４５】
橋渡し部材５が樹脂製で取付板部４と一体に成形されているため、橋渡し部材５の形状の成形が容易にできる。
【００４９】
この発明の第２の実施の形態を図４に示す。これは、第１の実施の形態において、ランプソケット１にランプ保持ばね４０を設けている。ランプ保持ばね４０はコ字形でランプソケット１の両側面に設けた溝状固定部４１にランプ保持ばね４０の両端部を挿着固定し、ランプ保持ばね４０の先端挟持部４２をランプソケット１の支持柱部１７の間に位置してランプ口金２２を弾性挟持する。これにより、ランプ着脱姿勢のランプソケット１に装着することでランプ２１をランプソケット１に保持することができる。その他は第１の実施の形態と同様である。
【００５５】
図５は電気スタンドの灯具本体５３にこの実施の形態のソケット取付台２を取付けた状態である。５１はスタンドである。その他は第１の実施の形態と同様である。
【００６２】
この発明の第３の実施の形態を図６および図７に示す。これは、第１の実施の形態において、橋渡し部材５ｃがランプソケット１の取付姿勢を規制するための突起５０を有する。すなわち、突起５０は橋渡し部材５ｃの内面側に断面角または丸形の柱状であり、ランプソケット１のストッパとしている。また乗り越え突起１０の橋渡し部材５ｃ側に傾斜面５１を形成しこの傾斜面５１に係合部１８が係合した状態でランプソケット１が突起５０に当接するようにしている。
【００６３】
このように、橋渡し部材５ｃはランプソケット１の姿勢を規制するための突起５０を有し、取付板部４はランプソケット１を取付姿勢に規制する乗り越え突起１０を有するため、ランプソケット１の姿勢を突起５０により規制でき、ソケット側突起である係合部１８と乗り越え突起１０によりランプソケット１をソケット取付台２の背部側に規制し、ランプソケット１を背部側に押す力を働かせて、ランプソケット１のがたつきを防止することができ、またランプ取付状態でランプ２１が下方に傾かず、振動等による落下防止ができる。また橋渡し部材５ｃのの突起５０は簡単な形状のため突き出しピン等の代用が可能であり、金型作成や成形性が容易になる。
【００６４】
なお、乗り越え突起１０および突起５０は複数設けているが、それぞれ１個でもよい。また橋渡し部材は樹脂製以外の例えば金属製でもよい。
【００６５】
【発明の効果】
請求項１記載のソケット取付台によれば、取付板部を樹脂部品とするため軽量化できるとともに、エッジによるけがの心配がなく塗装などの２次加工が不要である。取付板部の形状成形が容易となるため、クリック部を設けやすくランプを挿入後のランプソケットの回動操作時のクリック感触を容易に得ることができ、そのための部品が取付部品の１部品で構成でき、またランプ保持構造がソケット取付台に付加構成できるため、部品点数を削減できる。また成形時の寸法精度が安定し変形しにくく、形状により材料削減できるとともに電線の引出しも容易にできる。また、ソケット側突起と乗り越え突起によりランプソケットをソケット取付台の背部側に規制し、またランプ取付状態でランプが下方に傾かず、振動等による落下防止ができる。
【００６９】
請求項２記載のソケット取付台によれば、請求項１と同様な効果のほか、樹脂成形時にコの字形状が内側に倒れ易い性質のためソケット保持がしやすくランプソケットを外れにくくしやすい。
請求項３記載のソケット取付台によれば、請求項２と同様な効果がある。
【００７０】
請求項４記載のソケット取付台によれば、請求項２と同様な効果のほか、リブにより橋渡し部材の補強ができる。
【００７２】
請求項５記載のソケット取付台によれば、請求項１、請求項２、請求項３または請求項４と同様な効果のほか、橋渡し部材の形状の成形が容易にできる。
【００７４】
請求項６記載のソケット取付台によれば、請求項１、請求項２、請求項３、請求項４または請求項５と同様な効果のほか、ランプソケットの姿勢を突起により規制でき、ソケット側突起と乗り越え突起によりランプソケットをソケット取付台の背部側に規制することで、ランプソケットを背部側に押す力を働かせて、ランプソケットのがたつきを防止することができる。また橋渡し部材の突起は簡単な形状のため突き出しピン等の代用が可能であり、金型作成、成形性が容易になる。
【００７５】
請求項７記載の照明器具によれば、請求項１、請求項２、請求項３、請求項４、請求項５または請求項６と同様な効果がある。
【図面の簡単な説明】
【図１】
この発明の第１の実施の形態ランプソケットの動作状態の側面図である。
【図２】
ソケット取付台を器具本体に取付けた状態の斜視図である。
【図３】
（ａ）は第１の実施の形態の斜視図、（ｂ）はソケット取付台の概略断面図である。
【図４】
第２の実施の形態の斜視図である。
【図５】
そのソケット取付台を取付けた状態の電気スタンドの斜視図である。
【図６】
第３の実施の形態のランプソケットを取付けた状態の正面図である。
【図７】
そのランプソケットを外した状態の斜視図である。
【図８】
従来例のランプソケットを取付けた状態の斜視図である。
【符号の説明】
１  ランプソケット
２  ソケット取付台
３  軸部
４  取付板部
４ａ  前部
４ｂ  後端部
４ｃ  先端部
４ｄ  背部
５  橋渡し部材
５ａ〜５ｃ  橋渡し部材
６  リブ
９  凹部
１０  乗り越え突起
１２  切欠凹部
１５  軸受け部
１６  ランプピン挿入孔
１８  係合部
２１  ランプ
２２  ランプ口金
２３  突起
３５  突起
４０  ランプ保持ばね
５０  突起
【図１】
0003942805.tif 000002
【図２】
0003942805.tif 000003
【図３】
0003942805.tif 000004
【図４】
0003942805.tif 000005
【図５】
0003942805.tif 000006
【図６】
0003942805.tif 000007
【図７】
0003942805.tif 000008
【図８】
0003942805.tif 000009